(57)【要約】【課題】利用者（ユーザー）が意図した同じアプリケーションで動作するデバイス同士で、デバイスリンク情報を交換してセキュアーな無線ネットワークを構築する無線通信装置を提供する。【解決手段】無線通信装置は、同じアプリケーションを実行する機器のデータの入出力関係を示す機器固有情報３９−３を交換する情報交換部３７−２と、機器固有情報３９−３に基づいて、同じアプリケーションを実行する機器と接続された他の無線通信装置との間で、互いに片方向のデバイスリンク関係を設定する片方向デバイスリンク設定部３７−１を備えたのでユーザーの意のままに必要となる無線リンクを構築することが可能となり、ユーザーの意図しない接続リンクを排除できる。【選択図】図３
2008193705.tif 000002
【特許請求の範囲】
【請求項１】
アプリケーションを実行する機器に接続された無線通信装置における無線通信方法において、
該アプリケーションを実行する機器にて、現在動作中のアプリケーションにおけるデータの入出力関係を示す状態から、無線通信装置におけるリンク方向関係を判断する入出力リンク情報設定ステップと、
上記アプリケーションと同じアプリケーションを実行する機器に接続された無線通信装置との間で、互いに登録処理を行なうための登録動作を検出する登録動作検出ステップと、
アプリケーションのデータ交換と同じ無線通信を用いて該登録動作が実行された場合に、前記入出力リンク情報を、他の無線通信装置との間で交換する入出力情報交換ステップと、
上記アプリケーションと同じアプリケーションを実行する機器と接続された他の無線通信装置との間で、互いに片方向のデバイスリンク関係を設定する片方向デバイスリンク設定ステップと
を備えたことを特徴とする無線通信方法。
【請求項２】
請求項１記載の無線通信方法において、
上記登録動作検出ステップにおいて、入出力リンク情報が設定された一方の無線通信装置に設けられた登録スイッチが操作されることによる登録信号を検出してから所定の登録情報受信時間内に他方の無線通信装置の登録スイッチが操作されることによる登録信号を検出する登録信号検出ステップと、
定められた上記登録情報受信時間が経過した後に一方の無線通信装置の入出力リンク情報を含む存在情報を他方の無線通信装置に通知する存在通知ステップと、
他方の無線通信装置が上記存在通知を受信した場合には、一方の無線通信装置に対して互いに入出力リンク情報に応じたリンク関係を登録する登録要求を交換して送信する登録要求交換ステップと、
を備えたことを特徴とする無線通信方法。
【請求項３】
請求項２記載の無線通信方法において、
上記登録信号検出ステップで、一方の無線通信装置に設けられた登録スイッチが操作されることによる登録信号を検出してから所定の登録情報受信時間内に他方の無線通信装置の登録スイッチが操作されることによる登録信号を検出しないときは、
上記存在通知ステップで、定められた上記登録情報受信時間が経過した後に一方の無線通信装置の存在情報を所定回数他方の無線通信装置に通知し、
これに対して、他方の無線通信装置から応答がないときは、リンク関係の登録を行なわないことを特徴とする無線通信方法。
【請求項４】
請求項２記載の無線通信方法において、
上記登録信号検出ステップで、一方の無線通信装置に設けられた登録スイッチが操作されることによる登録信号を検出してから所定の登録情報受信時間内に他方の無線通信装置の登録スイッチが操作されることによる登録信号を検出してから所定の登録情報受信時間内に他方の複数の無線通信装置の登録スイッチが操作されることによる複数の登録信号を検出したときは、以降の処理を行なわないことを特徴とする無線通信方法。
【請求項５】
請求項２記載の無線通信方法において、
上記リンク関係の登録に対して、互いに登録通知をする登録通知ステップを備え、上記登録通知を暗号化し、互いに暗号化情報を交換し、アプリケーションの情報を伝送する場合に、上記暗号化情報に従って暗号化されたデータを伝送することを特徴とする無線通信方法。
【請求項６】
請求項５記載の無線通信方法において、
上記アプリケーションと同じアプリケーションを実行する機器のデータの入出力関係を明示しながら上記暗号化情報を交換し、アプリケーションの情報を伝送する場合に、上記暗号化情報に従って暗号化されたデータを伝送することを特徴とする無線通信方法。
【請求項７】
アプリケーションを実行する機器に接続されて他の無線通信装置との間で無線通信を行なう無線通信装置において、
該アプリケーションを実行する機器にて、現在動作中のアプリケーションにおけるデータの入出力関係を示す状態から、無線通信装置におけるリンク方向関係を判断する入出力リンク情報設定手段と、
上記アプリケーションと同じアプリケーションを実行する機器に接続された無線通信装置との間で、互いに登録処理を行なうための登録動作検出手段と、
アプリケーションのデータ交換と同じ無線通信を用いて、該登録動作が実行された場合に、前記入出力リンク情報を、他の無線通信装置との間で交換する入出力情報交換手段と、
上記アプリケーションと同じアプリケーションを実行する機器と接続された他の無線通信装置との間で、互いに片方向のデバイスリンク関係を設定する片方向デバイスリンク設定手段と、
を備えたことを特徴とする無線通信装置。
【請求項８】
請求項７記載の無線通信装置において、
上記登録動作検出手段において登録動作を実施するための登録スイッチを備え、
入出力リンク情報が設定された一方の無線通信装置に設けられた登録スイッチが操作されることによる登録信号を検出してから、所定の登録情報受信時間内に他方の無線通信装置の登録スイッチが操作されることによる登録信号を検出する登録信号検出手段を備え、
定められた上記登録情報受信時間が経過した後に、一方の無線通信装置の入出力リンク情報を含む存在情報を他方の無線通信装置に通知する存在通知手段と、
他方の無線通信装置が上記存在通知を受信した場合には、一方の無線通信装置に対して互いに入出力リンク情報に応じたリンク関係を登録する登録要求を交換して送信する登録要求交換手段と、
を備えたことを特徴とする無線通信装置。
【請求項９】
アプリケーションを実行する機器に接続されて他の無線通信装置との間で無線通信を行なう無線通信システムにおいて、
該アプリケーションを実行する機器にて、現在動作中のアプリケーションにおけるデータの入出力関係を示す状態から、無線通信装置におけるリンク方向関係を判断する入出力情報として設定しておき、
上記アプリケーションと同じアプリケーションを実行する機器に接続された無線通信装置との間で、互いに登録処理を行なうための動作を検出した場合に、
上記アプリケーションと同じアプリケーションを実行する機器のデータの入力または出力関係を示す情報が、上記アプリケーションと同じアプリケーションを実行する機器と接続された他の無線通信装置との間でアプリケーションのデータ通信と同じ無線通信を用いて交換し、互いに入力または出力の片方向デバイスリンク関係を設定する無線通信装置と、
上記アプリケーションと同じアプリケーションを実行する機器のデータの出力または入力関係を示す情報が、上記アプリケーションと同じアプリケーションを実行する機器と接続された他の無線通信装置との間でアプリケーションのデータ通信と同じ無線通信を用いて交換されて、互いに出力または入力の片方向デバイスリンク関係を設定する無線通信装置と、
を備えたことを特徴とする無線通信システム。
【発明の詳細な説明】
【技術分野】
【０００１】
本発明は、例えば、複数の無線通信装置の間でネットワークを構成する無線通信装置に関するものである。
【背景技術】
【０００２】
近年、複数のパーソナルコンピュータをローカルエリアネットワーク（ＬＡＮ）として接続する方法の１つとして、パーソナルコンピュータなどに無線通信装置を接続し、複数のパーソナルコンピュータで無線ＬＡＮを構築する方法が一般的に知られている。
【０００３】
さらにこのＬＡＮよりも近距離の通信エリア内で、個人所有のポータブルデバイス機器を中心としてパーソナルエリアネットワーク（ＰＡＮ）を構築して、相互にデータをやり取りする方法が考えられつつある。
【０００４】
このＰＡＮでは、パーソナルコンピュータ以外に、カムコーダ装置やＶＣＲ（Ｖｉｄｅｏ  Ｃａｓｓｅｔｔｅ  Ｒｅｃｏｒｄｅｒ）装置、モニター装置などの民生機器もネットワークに取り込まれることが想定されている。
【０００５】
これら無線ＰＡＮでは、その無線ネットワークに接続されている無線通信装置とデバイス機器を識別するために、事前に各デバイス間での認証情報の交換が必要とされていた。
【０００６】
例えば通信規格ＩＥＥＥ８０２．１５．３準拠の無線ＰＡＮでは、オーセンティケーション（Ａｕｔｈｅｎｔｉｃａｔｉｏｎ）と呼ばれる認証動作が規定されていて、ＰＡＮに参入（Ａｓｓｏｃｉａｔｉｏｎ）を行なったデバイスは、他のデバイスとの間で暗号化情報などのデバイスリンク情報を交換することが想定されている。
【０００７】
ここでのデバイスリンク情報の交換方法は、２つのデバイス間において双方向で１つのリンクとして情報を交換する方法が一般的に用いられている。
【０００８】
なお、本出願人の先願として、特願２００１−２８９７６３号がある。この先願は、送信装置と受信装置をピアツーピアで動作させるために、受信装置に送信装置の識別番号（ＩＤ）を登録しておくものである。
【発明の開示】
【発明が解決しようとする課題】
【０００９】
しかし、従来からのオーセンティケーション（Ａｕｔｈｅｎｔｉｃａｔｉｏｎ）と呼ばれる認証動作では、同じアプリケーションが搭載されているデバイス同士で処理を行なわなければ、これら通信に必要なデバイスリンク情報の交換が行なえず、データを交換できないという不都合があった。
【００１０】
つまり、アプリケーションが異なるデバイス同士を接続してデータを送受信すると、互いに何のデータが送られてきたのか判断ができず、データ伝送そのものが無駄になるという不都合があった。
【００１１】
またユーザーの意図したデバイス同士でデバイスリンク情報を交換することができなければ、悪意のあるデバイスが無線ネットワークに組込まれてしまい、個人情報を流出させてしまうおそれがあった。
【００１２】
そのため、このオーセンティケーション（Ａｕｔｈｅｎｔｉｃａｔｉｏｎ）と呼ばれる認証動作は、その無線ネットワークの利用者が認めたデバイスのみが無線ネットワークに参入してきたデバイスとの間でデバイスリンク情報を交換しなければならないという不都合があった。
【００１３】
通信規格ＩＥＥＥ８０２．１５．３準拠の無線ＰＡＮにおいて規格化されたオーセンティケーション（Ａｕｔｈｅｎｔｉｃａｔｉｏｎ）と呼ばれる認証動作では、どの無線通信装置とどの無線通信装置の間で認証動作を起動させなければならないかを明示するという作業が必要であった。
【００１４】
さらに従来からの認証動作は、主にコンピュータシステム同士で無線ネットワークを構築することに主眼が置かれていたため、アプリケーション間で交換されるデータの入力デバイスと出力デバイスとが、互いにデータの送られる方向を意識せずに認証動作が行なわれていた。
【００１５】
そのため悪意のあるデバイスとの間で認証動作が成功してネットワークに組込まれてしまうと、ユーザーが意図しないコンテンツを、容易に流出させられたり、閲覧されてしまうという不都合があった。
【００１６】
あるいはコンピュータウイルスなどの悪意を持ったコンテンツを、ネットワーク内に送り込むことができてしまうという不都合があった。
【００１７】
そこで、本発明は、かかる点に鑑みてなされたものであり、利用者（ユーザー）が意図した同じアプリケーションで動作するデバイス同士で、デバイスリンク情報を交換して安全な（セキュアー）な無線ネットワークを構築する無線通信装置を提供することを課題とする。
【００１８】
さらに利用者（ユーザー）が意図したデバイス同士が、簡単な動作によってデバイスリンク情報を交換する無線通信方法を提供することを課題とする。
【００１９】
また悪意のあるデバイスがネットワークに認証されていた場合においても、ユーザーの意図で流出させたくないコンテンツを容易に取り出せない無線通信方法を提供することを課題とする。
【課題を解決するための手段】
【００２０】
本発明の無線通信方法は、アプリケーションを実行する機器にて、現在動作中のアプリケーションにおけるデータの入出力関係を示す状態から、無線通信装置におけるリンク方向関係を判断する入出力リンク情報設定ステップと、アプリケーションと同じアプリケーションを実行する機器に接続された無線通信装置との間で、互いに登録処理を行なうための登録動作を検出する登録動作検出ステップと、アプリケーションのデータ交換と同じ無線通信を用いて該登録動作が実行された場合に、入出力リンク情報を、他の無線通信装置との間で交換する入出力情報交換ステップと、アプリケーションと同じアプリケーションを実行する機器と接続された他の無線通信装置との間で、互いに片方向のデバイスリンク関係を設定する片方向デバイスリンク設定ステップとを備えたものである。
【００２１】
従って本発明によれば、以下の作用をする。
アプリケーションを実行する機器に接続された無線通信装置において、同じアプリケーションを実行する機器と接続された他の無線通信装置の間で、データの入出力関係を明示しながら互いに片方向のデバイスリンク関係を登録する。
【００２２】
また、無線通信装置に接続される機器のアプリケーションをユーザーが判断して、デバイス同士でデバイスリンク情報を交換する処理をする。
【００２３】
また、本発明の無線通信方法は、登録動作検出ステップにおいて、入出力リンク情報が設定された一方の無線通信装置に設けられた登録スイッチが操作されることによる登録信号を検出してから所定の登録情報受信時間内に他方の無線通信装置の登録スイッチが操作されることによる登録信号を検出する登録信号検出ステップと、定められた登録情報受信時間が経過した後に一方の無線通信装置の入出力リンク情報を含む存在情報を他方の無線通信装置に通知する存在通知ステップと、他方の無線通信装置が存在通知を受信した場合には、一方の無線通信装置に対して互いに入出力リンク情報に応じたリンク関係を登録する登録要求を交換して送信する登録要求交換ステップとを備えたものである。
【００２４】
従って本発明によれば、以下の作用をする。
デバイスに接続される無線通信装置にユーザーが設定可能なリンク登録スイッチ、あるいはリンク設定機能を装備し、ユーザーがその無線通信装置に設けられた登録ボタンを入力した無線通信装置の間においてデバイスリンク情報やセキュリティーに関する情報を交換する。
【００２５】
所定の時間内に登録ボタンを入力した無線通信装置間に利用者（ユーザー）が意図したリンクを設定することで、ユーザーが意図したセキュリティーに基づいたネットワークを構築する。
【００２６】
また、本発明の無線通信装置は、アプリケーションを実行する機器にて、現在動作中のアプリケーションにおけるデータの入出力関係を示す状態から、無線通信装置におけるリンク方向関係を判断する入出力リンク情報設定手段と、アプリケーションと同じアプリケーションを実行する機器に接続された無線通信装置との間で、互いに登録処理を行なうための登録動作検出手段と、アプリケーションのデータ交換と同じ無線通信を用いて、該登録動作が実行された場合に、入出力リンク情報を、他の無線通信装置との間で交換する入出力情報交換手段と、アプリケーションと同じアプリケーションを実行する機器と接続された他の無線通信装置との間で、互いに片方向のデバイスリンク関係を設定する片方向デバイスリンク設定手段とを備えたものである。
【００２７】
従って本発明によれば、以下の作用をする。
登録された無線通信装置の間で情報を伝送するために、アプリケーションの指示により、データの入出力関係を明示しながら所定の暗号化情報を交換し、アプリケーションデータを交換する場合に暗号化情報によって暗号化されたデータを伝送して互いに片方向のデバイスリンク関係を登録する。
【００２８】
また、本発明の無線通信システムは、アプリケーションを実行する機器にて、現在動作中のアプリケーションにおけるデータの入出力関係を示す状態から、無線通信装置におけるリンク方向関係を判断する入出力情報として設定しておき、アプリケーションと同じアプリケーションを実行する機器に接続された無線通信装置との間で、互いに登録処理を行なうための動作を検出した場合に、アプリケーションと同じアプリケーションを実行する機器のデータの入力または出力関係を示す情報が、アプリケーションと同じアプリケーションを実行する機器と接続された他の無線通信装置との間でアプリケーションのデータ通信と同じ無線通信を用いて交換し、互いに入力または出力の片方向デバイスリンク関係を設定する無線通信装置と、アプリケーションと同じアプリケーションを実行する機器のデータの出力または入力関係を示す情報が、アプリケーションと同じアプリケーションを実行する機器と接続された他の無線通信装置との間でアプリケーションのデータ通信と同じ無線通信を用いて交換されて、互いに出力または入力の片方向デバイスリンク関係を設定する無線通信装置とを備えたものである。
【００２９】
従って本発明によれば、以下の作用をする。
アプリケーションを実行する機器に接続された無線通信装置において、同じアプリケーションを実行する機器と接続された他の無線通信装置の間で互いにデータの入出力関係を明示しながらリンク関係を登録する。
【００３０】
登録された無線通信装置の間で情報を伝送するために、アプリケーションの指示により所定の暗号化情報を交換し、アプリケーションデータを交換する場合に暗号化情報によって暗号化されたデータを伝送する。
【００３１】
さらにアプリケーションの入出力の方向を指定してこれらの情報を交換することで、意図しない無線通信装置との間で不用意に情報の交換を行なわないようにする。
【発明の効果】
【００３２】
本発明によれば、同じアプリケーションを実行する機器と接続された他の無線通信装置との間で、入出力情報を交換して、互いにデバイスリンク関係を登録することで、異なったアプリケーションを実行する無線通信装置間での無用なリンクを排除することができるという効果を奏する。
【００３３】
また、無線通信装置に設けられた登録スイッチを操作してから、所定の時間内に他の無線通信装置の登録スイッチを操作することで、互いにリンク関係を登録する登録方法によって、ユーザーの意図したデバイスの間で容易にリンク関係を構築することができるという効果を得られる。
【００３４】
また、定められた時間が経過した後に自装置の存在情報を通知し、他装置の存在情報を受信した場合には、その登録要求を交換する登録方法により、ユーザーが意図した以外のデバイスが容易に無線ネットワークに組込まれることを阻止することが可能になるという効果を奏する。
【００３５】
また、所定の回数にわたって存在通知・登録要求を送信しても、他の無線通信装置からの応答がないときは、一連のデバイスリンクの登録動作に移行しないことより、ユーザーがデバイスリンクの登録について意図した無線通信装置から登録要求を受信しない限り、無線通信装置からのデバイスリンクの登録が行なわれないようにし、ユーザーの意図しない無線通信装置のデバイスリンク登録が行なわれないために、悪意のある第３者のデバイスとリンクを結ばない動作を実現することができるという効果を奏する。また一連のシーケンスに異常が生じた場合にも、登録を中断することによって、ユーザーの意図しないデバイスが無線ネットワークに組込まれることを防ぐ効果が得られる。
【００３６】
また、無線通信装置の存在通知・登録要求を他の無線通信装置に送信するが、それに応じて他の複数の無線通信装置から複数の登録要求の応答があって、どちらのデバイスリンクの登録動作を行なえばよいか判断がつかない場合、複数の無線通信装置のいずれかが、ユーザーの意図しないデバイスである可能性が残るため、ここでは、デバイスリンク登録の処理を中断して、ユーザーの意図がはっきりしないケースでは、無線通信装置のデバイスリンク登録を行なわないことにより、悪意のある第３者のデバイスが、ユーザーが指定した２つのデバイス間のデバイスリンクに乗じてリンクを結ぼうとしても、その動作を回避する方法を実現することができるという効果を奏する。
【００３７】
また、同じアプリケーションを実行する機器と接続された他の無線通信装置の間で、所定の暗号化情報を交換することによって、異なったアプリケーションを実行する他の無線通信装置の間では不要な無線通信を行なわない方法を得ることができるという効果を奏する。
【００３８】
また、同じアプリケーションを実行する機器と接続された他の無線通信装置の間で、データの入出力関係を明示しながら所定の暗号化情報を交換することで、アプリケーションの情報を伝送する場合に、データの入出力関係に基づいて暗号化されたデータを伝送する無線通信方法を実現することができるという効果を奏する。
【００３９】
また、ユーザーの意図しない接続リンクや、データの向き以外の接続リンクを使った不必要なコンテンツの流出を防止することを可能とすることができるという効果を奏する。
【００４０】
また、同じアプリケーションを実行する他の無線通信装置との間で機器固有情報に基づいて片方向のリンク関係を結ぶ機能を備えることで、ユーザーの意のままに必要となる無線リンクを構築可能な無線通信装置が得られ、ユーザーの意図しない接続リンクを排除できるという効果を奏する。
【００４１】
また、他の無線通信装置に接続された機器の機器固有情報に基づいてデータの入出力インターフェースによって必要な無線リンクを構築可能な無線通信装置が得られ、データの向き以外の接続リンクを排除することができるという効果を奏する。
【００４２】
また、無線通信装置に接続された機器のデータの入出力関係を明示しながら他の無線通信装置との間で、互いにデバイスリンク関係を登録することで、従来の無線ネットワークにあった不要な方向のリンクを排除することができ、民生機器を効率良く無線ネットワークに組込むことができるという効果を奏する。
【発明を実施するための最良の形態】
【００４３】
以下に、本発明の実施の形態について適宜図面を参照しながら説明する。
【００４４】
図1に本実施の形態に適用される無線ネットワークの構成例を示す。
ここではパーソナルコンピュータ６に接続された無線通信装置が制御局無線通信装置１０として動作して、無線ネットワーク１００が形成されているものとする。
【００４５】
この無線ネットワーク１００には、テレビジョン受像機などのモニター装置１に接続された無線通信装置＃１：１１、ＶＣＲ（Ｖｉｄｅｏ  ＣａｓｓｅｔｔｅＲｅｃｏｒｄｅｒ）装置２に接続された無線通信装置＃２：１２、カメラ一体型ＶＴＲ（Ｖｉｄｅｏ  ｔａｐｅ  Ｒｅｃｏｒｄｅｒ）装置３に接続された無線通信装置＃３：１３、ＤＶＤ（Ｄｉｇｉｔａｌ  Ｖｅｒｓａｔｉｌｅ  ｄｉｓｃ）再生装置４に接続された無線通信装置＃４：１４、プリンタ出力装置５に接続された無線通信装置＃５：１５によって無線ネットワークが形成されている状態を示している。
【００４６】
図２は、本発明の実施の形態によるアプリケーションによるデバイスリンクの登録例を示した図である。
ここでは、図１に示した無線ネットワーク１００において、無線通信装置に接続される機器のアプリケーションによって、各デバイス間のリンクが構築される図を表わしている。
【００４７】
モニター装置１には、ＶＣＲ装置２からの入力デバイスリンク２１と、カメラ一体型ＶＴＲ装置３からの入力デバイスリンク２２と、ＤＶＤ再生装置４からの入力デバイスリンク２３が入力デバイスリンクとして登録されている。
【００４８】
ＶＣＲ装置２には、モニター装置１への出力デバイスリンク２１と、カメラ一体型ＶＴＲ装置３への出力デバイスリンク２４が出力デバイスリンクとして登録され、さらにカメラ一体型ＶＴＲ装置３からの入力デバイスリンク２５と、ＤＶＤ再生装置４からの入力デバイスリンク２６が入力デバイスリンクとして登録されている。
【００４９】
カメラ一体型ＶＴＲ装置３には、モニター装置１への出力デバイスリンク２２と、ＶＣＲ装置２への出力デバイスリンク２５が出力デバイスリンクとして登録され、さらにＶＣＲ装置２からの入力デバイスリンク２４が入力デバイスリンクとして登録されている。
【００５０】
ＤＶＤ再生装置４には、モニター装置１への出力デバイスリンク２３と、ＶＣＲ装置２への出力デバイスリンク２６が出力デバイスリンクとして登録されている。
【００５１】
プリンタ出力装置５には、パーソナルコンピュータ６からの入力デバイスリンク２７が入力デバイスリンクとして登録されている。
【００５２】
パーソナルコンピュータ６には、プリンタ出力装置５への出力デバイスリンク２７が出力デバイスリンクとして登録されている。
【００５３】
図３は、本発明の実施の形態による無線通信装置の構成例を示した図である。
この無線通信装置は、この無線通信装置に接続される機器からの情報を交換するためのインターフェース３１と、それら機器のアプリケーションから届いた情報を蓄積する送信バッファ３２が備わり、その情報を無線信号に変換して送信する無線送信部３３が備わり、所定のアクセス制御に従って変換された無線信号を送信するアンテナ３４が備わっている。
【００５４】
さらに無線通信装置には、アンテナ３４から所定のアクセス制御に従って無線信号を受信して、情報を抽出するための無線受信部３５が備わり、その無線受信した情報をインターフェース３１を介して、機器のアプリケーションに届ける情報を蓄積するための受信バッファ３６が備わっている。
【００５５】
さらに、この無線通信装置は、本発明の実施の形態に適用される無線通信装置における一連の動作を司り、所定の制御に従って各動作部を統一制御する制御部３７が備わっている。
【００５６】
この制御部３７には、本発明の実施の形態ではユーザーの入力指示により所定の手続きを行ない、デバイスリンクを確立するための登録信号を出力するリンク登録スイッチ３８が備わり、さらにそのデバイス間でのリンク接続の情報を示した情報を格納しておくための情報記憶部３９が接続されている。
【００５７】
この制御部３７には、デバイス間での入力または出力の片方向のリンク接続の設定を行う片方向リンク設定部３７−１と、デバイス間でデバイスリンク情報３９−１、セキュリティー情報３９−２および機器固有（入力／出力）情報３９−３を交換する情報交換部３７−２と、自己の存在通知の送信回数を設定する存在通知回数部３７−３と、登録情報の受信時間を設定する登録情報受信時間部３７−４とを有して構成される。
【００５８】
また、情報記憶部３９は、デバイスリンク情報３９−１、セキュリティー情報３９−２および機器固有（入力／出力）情報３９−３を記憶する。
【００５９】
図４は、通信規格ＩＥＥＥ８０２．１５．３のフレーム構成例を示す図である。
図４において、フレーム周期４１には、ピアツーピア接続されたネットワークにおいて、認証を行うオーセンティケーションに先立つ情報交換を行うアソシエーション時にコーディネーターとなる通信局から一定のフレーム周期４１で出力されるビーコンＢ（Ｂｅａｃｏｎ）４２と、各通信局がＣＳＭＡ（Ｃａｒｒｉｅｒ  Ｓｅｎｃｅ  Ｍｕｌｔｉｐｌｅ  Ａｃｃｅｓｓ）で非同期通信を行うコンテンションアクセスピリオドＣＡＰ（Ｃｏｎｔｅｎｔｉｏｎ  Ａｃｃｅｓｓ  Ｐｅｒｉｏｄ）４３と、各通信局が予約帯域を確保して帯域予約通信を行うコンテンションフリーピリオドＣＦＰ（Ｃｏｎｔｅｎｔｉｏｎ  Ｆｒｅｅ  Ｐｅｒｉｏｄ）４４を有して構成される。
【００６０】
図５は本発明の実施の形態によるデバイスリンク登録動作の処理例を表わした図である。
この処理例では、無線通信装置（＃１）１１と無線通信装置（＃２）１２の間でリンク登録を行なう処理例を示している。
【００６１】
ここでは、まず無線通信装置（＃１）１１の登録スイッチ３８の操作による登録信号Ｃ１が無線通信装置（＃１）１１の制御部３７（情報交換部３７−２）に入力された後、引き続いて無線通信装置（＃２）１２の登録スイッチ３８の操作による登録信号Ｃ２が無線通信装置（＃２）１２の制御部３７（情報交換部３７−２）に入力されたことが示してある。
【００６２】
このとき、情報の入力リンクと出力リンクのそれぞれが接続される機器のアプリケーションから指定されることにより、制御部３７（情報交換部３７−２）は、登録スイッチ３８の操作による登録信号Ｃ１、Ｃ２が入力されると、制御部３７（登録情報受信時間部３７−４）は、所定の登録情報受信時間Ｔ１、Ｔ２、Ｔ３、Ｔ４、Ｔ５を設定して受信処理を行なう構成になっている。
【００６３】
まず無線通信装置（＃１）１１の制御部３７（情報交換部３７−２）では、登録情報受信時間Ｔ１が経過するまでになんら信号の受信がないので、無線通信装置（＃１）１１の存在通知・登録要求Ｃ３を無線通信装置（＃２）１２に送信して、再び制御部３７（登録情報受信時間部３７−４）による登録情報受信時間Ｔ３を設定して受信処理を行なう。
【００６４】
無線通信装置（＃２）１２の制御部３７（情報交換部３７−２）では、登録情報受信時間Ｔ２が経過するまでに無線通信装置（＃１）１１からの存在通知・登録要求Ｃ３を受信しているので、無線通信装置（＃２）１２の登録要求Ｃ４を無線通信装置（＃１）１１に送信し、再び制御部３７（登録情報受信時間部３７−４）による登録情報受信時間Ｔ４を設定して受信処理を行なう。
【００６５】
そして無線通信装置（＃１）１１の制御部３７（情報交換部３７−２）では、登録情報受信時間Ｔ３が経過するまでに無線通信装置（＃２）１２からの登録要求Ｃ４を受信しているので、無線通信装置（＃１）１１の登録通知Ｒ１を無線通信装置（＃２）１２に送信し、再び制御部３７（登録情報受信時間部３７−４）による登録情報受信時間Ｔ５を設定して受信処理を行なう。
【００６６】
さらに無線通信装置（＃２）１２の制御部３７（情報交換部３７−２）では、登録情報受信時間Ｔ４が経過するまでに無線通信装置（＃１）１１からの存在通知・登録要求Ｒ１を受信しているので、無線通信装置（＃２）１２の登録通知Ｒ２を無線通信装置（＃１）１１に送信し、無線通信装置（＃２）１２の制御部３７（片方向リンク設定部３７−１）は、無線通信装置（＃１）１１との間でデバイスリンクの設定を行なう。
【００６７】
また無線通信装置（＃１）１１の制御部３７（情報交換部３７−２）でも、無線通信装置（＃２）１２の登録通知Ｒ２を受信した後に、無線通信装置（＃１）１１の制御部３７（片方向リンク設定部３７−１）は無線通信装置（＃２）１２との間でデバイスリンクの設定を行なう。
【００６８】
なお、無線通信装置に図2に示した出力デバイスリンクが登録されている場合には、この登録通知の中に、このデバイスリンクの間で利用される暗号化情報を、必要に応じて交換する構成としても良い。
【００６９】
図６は、本発明の実施の形態によるデバイスリンク登録回避動作の処理を示した例である。
ここでは、無線通信装置（＃１）１１では登録スイッチ３８の操作による登録信号Ｃ１１が無線通信装置（＃１）１１の制御部３７（情報交換部３７−２）に入力されているものの、無線通信装置（＃２）１２の登録スイッチ３８の操作による登録信号が無線通信装置（＃２）１２の制御部３７（情報交換部３７−２）に入力されない状態を表わしている。
【００７０】
この場合、無線通信装置（＃１）１１の登録スイッチ３８の操作による登録信号Ｃ１１が入力された無線通信装置（＃１）１１の制御部３７（情報交換部３７−２）では、制御部３７（登録情報受信時間部３７−４）による登録情報受信時間Ｔ１１が経過した後に、無線通信装置（＃１）１１の存在通知・登録要求Ｃ１２を送信し、制御部３７（登録情報受信時間部３７−４）による登録情報受信時間Ｔ１２が経過した後に、無線通信装置（＃１）１１の存在通知・登録要求Ｃ１３を送信し、制御部３７（登録情報受信時間部３７−４）による登録情報受信時間Ｔ１３が経過した後に、無線通信装置（＃１）１１の存在通知・登録要求Ｃ１４を送信し、・・・制御部３７（存在通知回数部３７−３）による所定の回数にわたって存在通知・登録要求Ｃ１ｎを送信するが、他の無線通信装置からの応答がないため、上述した図５に示した一連のデバイスリンクの登録動作に移行しない様子を表わしている。
【００７１】
これより、ユーザーがデバイスリンクの登録を意図した無線通信装置（＃２）１２から登録要求を受信しない限り、無線通信装置（＃１）１１からのデバイスリンクの登録が行なわれない状態を表わしている。
【００７２】
つまり、ユーザーの意図しない無線通信装置のデバイスリンク登録が行なわれないために、悪意のある第３者のデバイスとリンクを結ばない動作が実現できる。
【００７３】
図７は、本発明の実施の形態によるデバイスリンク登録動作の異常処理を示した例である。
ここで、無線通信装置（＃１）１１の制御部３７（情報交換部３７−２）では登録スイッチの操作による登録信号Ｃ２１が入力された後、制御部３７（登録情報受信時間部３７−４）による登録情報受信時間Ｔ２１経過後に、無線通信装置（＃２）１２に存在通知・登録要求Ｃ２２を送信してから、無線通信装置（＃２）１２および無線通信装置（＃３）１３の双方から制御部３７（登録情報受信時間部３７−４）による登録情報受信時間Ｔ２２以内にほぼ同時に登録要求Ｃ２３および登録要求Ｃ２４が返信された場合を表わしている。
【００７４】
この場合、無線通信装置（＃１）１１の登録スイッチ３８の操作による登録信号Ｃ２１が入力された無線通信装置（＃１）１１の制御部３７（情報交換部３７−２）では、制御部３７（登録情報受信時間部３７−４）による登録情報受信時間Ｔ２１が経過した後に、無線通信装置（＃１）１１の存在通知・登録要求Ｃ２２を無線通信装置（＃２）１２に送信するが、それに応じて無線通信装置（＃２）１２と無線通信装置（＃３）１３の双方から登録要求Ｃ２３および登録要求Ｃ２４の応答があって、どちらのデバイスリンクの登録動作を行なえばよいか判断がつかない様子を表わしている。
【００７５】
この場合無線通信装置（＃２）１２と無線通信装置（＃３）１３のどちらかが、ユーザーの意図しないデバイスである可能性が残るため、ここでは、７１に示すように、デバイスリンク登録の処理を中断する。
【００７６】
つまり、ユーザーの意図がはっきりしないケースでは、無線通信装置のデバイスリンク登録を行なわない状態としたことを表わしている。
【００７７】
これより、悪意のある第３者のデバイスが、ユーザーが指定した２つのデバイス間のデバイスリンクに乗じてリンクを結ぼうとしても、その動作を回避する方法が実現できる。
【００７８】
図８は、本発明の実施の形態による存在通知コマンドの構成を表わしている。
この存在通知コマンドは、登録スイッチ３８の操作による登録信号が制御部３７（情報交換部３７−２）に入力され、制御部３７（登録情報受信時間部３７−４）による所定の登録情報受信時間が経過するまでに他の無線通信装置からの存在通知コマンドを受領しない場合に送信されるものである。
【００７９】
このコマンドは他の無線通信装置から送信された情報が存在通知コマンドである事を示す存在通知コマンド識別子８１、このコマンドがどの無線通信装置から送信されたかを識別するために自通信装置情報を記載した送信元アドレス８２、コマンドをどの無線通信装置あてに送信したのかを示す（ここでは指定しないために設定なし）受信先アドレス８３、本発明の実施の形態によるデバイスリンクが入力方向なのか出力方向なのかを識別する入力／出力リンク情報区別８４、このコマンドの誤りを検出、あるいは誤りを訂正するために付加される誤り検出符号８５から構成される。
【００８０】
図９は、本発明の実施の形態による登録要求コマンドの構成を表わしている。
この登録要求コマンドは、無線通信装置の制御部３７（情報交換部３７−２）が、存在通知コマンドを１つ受領した場合に、そのデバイスに対して返送されるコマンドであり、以下に示す情報を最低限用いて構成され、他に必要な情報が追加されて構成されても良い。
【００８１】
このコマンドは他の無線通信装置から送信された情報が登録要求コマンドである事を示す登録要求コマンド識別子９１、このコマンドがどの無線通信装置から送信されたかを識別するために自通信装置情報を記載した送信元アドレス９２、存在通知コマンドを送ってきた無線通信装置に、その登録要求を返信したことを示す受信先アドレス９３、本発明の実施の形態によるデバイスリンクが入力方向なのか出力方向なのかを識別する入力／出力リンク情報区別９４、このコマンドの誤りを検出、あるいは誤りを訂正するために付加される誤り検出符号９５から構成される。
【００８２】
図１０は、本発明の実施の形態による登録通知コマンドの構成を表わしている。
この登録通知コマンドは、無線通信装置の制御部３７（情報交換部３７−２）が、登録要求コマンドを１つ受領した場合と、自ら登録要求を行なった後に登録通知コマンドを受領した場合に、そのデバイスに対して返送されるコマンドであり、以下に示す情報を最低限用いて構成され、他に必要な情報が追加されて構成されても良い。
【００８３】
このコマンドは他の無線通信装置から送信された情報が登録通知コマンドである事を示す登録要求コマンド識別子１０１、このコマンドがどの無線通信装置から送信されたかを識別するために自通信装置情報を記載した送信元アドレス１０２、デバイスリンク情報として登録する無線通信装置を指定し、さらに返信したことを示す受信先アドレス１０３、本発明の実施の形態によるデバイスリンクが入力方向なのか出力方向なのかを識別する入力／出力リンク情報区別１０４、このコマンドの誤りを検出、あるいは誤りを訂正するために付加される誤り検出符号１０５から構成される。
【００８４】
図１１は、本発明の実施の形態による登録通知および暗号情報コマンドの構成を表わしている。
この登録通知および暗号情報コマンドは、登録通知コマンドと同じ場合に用いられ、無線通信装置の接続リンクが出力デバイスリンクである場合に、無線通信装置の制御部３７（情報交換部３７−２）が、暗号化情報を入力側のデバイスならびに無線通信装置に対して通知するために利用されるコマンドであり、以下に示す情報を最低限用いて構成され、他に必要な情報が追加されて構成されても良い。
【００８５】
このコマンドが登録通知および暗号情報コマンドであることを示す登録要求＋暗号情報コマンド識別子１１１、このコマンドがどの無線通信装置から送信されたか識別するために自通信装置情報を記載した送信元アドレス１１２、デバイスリンク情報として登録する無線通信装置を指定し、さらに返信したことを示す受信先アドレス１１３、本発明の実施の形態によるデバイスリンクが入力方向なのか出力方向なのかを識別する入力／出力リンク情報区別１１４、デバイス間で暗号化処理の対象となるデータペイロードを識別するために利用される暗号化対象識別１１５、実際に複数のデバイス間で暗号化処理の対象となるデータペイロードに対して利用される暗号化情報１１６、このコマンドの誤りを検出、あるいは誤りを訂正するために付加される誤り検出符号１１７から構成される。
【００８６】
図１２に本発明の実施の形態によるデバイスリンク登録動作のフローチャートを示す。
まずステップＳ１で、無線通信装置の制御部３７の情報交換部３７−２が、図３に示した無線通信装置のインターフェース３１において、そこに接続される機器の入力インターフェースあるいは、出力インターフェースが上位層からの接続状況に変化が生じたか否かを判断し、入出力インターフェースに変化が生じた場合にはステップＳ２へ移行する。
【００８７】
ステップＳ２では、制御部３７の情報交換部３７−２が、接続される機器のアプリケーションに対して入力があるか否かを判断し、入力がある場合にはステップＳ３で制御部３７の片方向リンク設定部３７−１が入力リンクを設定する。具体的には、図２に示したように、アプリケーションによる入力デバイスリンクの設定を行う。
【００８８】
さらにステップＳ４にて、制御部３７の情報交換部３７−２が、接続される機器のアプリケーションからの出力があるか否かを判断し、出力がある場合にはステップＳ５で制御部３７の片方向リンク設定部３７−１が出力リンクを設定する。具体的には、図２に示したように、アプリケーションによる出力デバイスリンクの設定を行う。
【００８９】
ステップＳ１の判断で、入出力インターフェースに変化が生じていない場合と、上述したステップＳ３の入力リンク、ステップＳ５の出力リンクの設定を行なった後にも、ステップＳ６に移行する。
【００９０】
ステップＳ６では、制御部３７の情報交換部３７−２が、無線通信装置においてデバイスリンクの登録スイッチ３８の操作による登録信号の入力が行なわれたか否かを判断し、入力されていれば、ステップＳ７で図３に示した制御部３７の存在通知回数設定部３７−３は存在通知の送信回数の設定を行い、ステップＳ８で図３に示した制御部３７の登録情報受信時間設定部３７−４は登録情報受信時間の設定を行ない、その登録情報の受信を行なう。
【００９１】
さらに、ステップＳ９にて他の無線通信装置から存在通知の受信の有無を判断し、受信があればステップＳ１０でその情報を獲得する。具体的には、図５に示したように、無線通信装置（＃２）１２の制御部３７の情報交換部３７−２は、登録情報受信時間設定部３７−４による登録情報受信時間Ｔ２が経過するまでに無線通信装置（＃１）１１からの存在通知・登録要求Ｃ３を受信し、無線通信装置（＃１）１１の制御部３７の情報交換部３７−２は、登録情報受信時間設定部３７−４による登録情報受信時間Ｔ３が経過するまでに無線通信装置（＃２）１２からの登録要求Ｃ４を受信する。
【００９２】
その後、ステップＳ１１で登録情報受信時間が経過したか否かを判断し、経過していなければステップＳ９に戻り受信処理を継続する。具体的には、図５に示したように、無線通信装置（＃２）１２の制御部３７の情報交換部３７−２は、登録情報受信時間設定部３７−４による登録情報受信時間Ｔ２の経過を判断し、無線通信装置（＃１）１１の制御部３７の情報交換部３７−２は、登録情報受信時間設定部３７−４による登録情報受信時間Ｔ３の経過を判断する。
【００９３】
ステップＳ１１で登録情報受信時間が経過していれば、ステップＳ１２で他の無線通信装置からの情報受信の有無を判断し、受信がなければ、ステップＳ１３で存在通知送信回数の超過を判断し、超過していれば処理を終了する。具体的には、図６に示したように、無線通信装置（＃１）１１の登録スイッチ３８の操作による登録信号Ｃ１１が入力された無線通信装置（＃１）１１の制御部３７の情報交換部３７−２は、登録情報受信時間設定部３７−４による登録情報受信時間Ｔ１１が経過した後に、無線通信装置（＃１）１１の存在通知・登録要求Ｃ１２を送信し、登録情報受信時間設定部３７−４による登録情報受信時間Ｔ１２が経過した後に、無線通信装置（＃１）１１の存在通知・登録要求Ｃ１３を送信し、登録情報受信時間設定部３７−４による登録情報受信時間Ｔ１３が経過した後に、無線通信装置（＃１）１１の存在通知・登録要求Ｃ１４を送信し、・・・存在通知回数部３７−３による所定の回数にわたって存在通知・登録要求Ｃ１ｎを送信するが、他の無線通信装置からの応答がないため、図５に示した一連のデバイスリンクの登録動作に移行しない。
【００９４】
ステップＳ１３で存在通知送信回数が超過していなければ、ステップＳ１４で存在通知を送信し、ステップＳ１５で存在通知送信回数を減算して、シーケンスを継続するためにステップＳ８に戻る。具体的には、図６に示したように、無線通信装置（＃１）１１の登録スイッチ３８の操作による登録信号Ｃ１１が入力された無線通信装置（＃１）１１の制御部３７の情報交換部３７−２は、登録情報受信時間設定部３７−４による登録情報受信時間Ｔ１１が経過した後に、無線通信装置（＃１）１１の存在通知・登録要求Ｃ１２を送信し、登録情報受信時間設定部３７−４による登録情報受信時間Ｔ１２が経過した後に、無線通信装置（＃１）１１の存在通知・登録要求Ｃ１３を送信し、登録情報受信時間設定部３７−４による登録情報受信時間Ｔ１３が経過した後に、無線通信装置（＃１）１１の存在通知・登録要求Ｃ１４を送信し、・・・順次存在通知回数を減算して存在通知回数部３７−３により設定された存在通知回数まで存在通知・登録要求Ｃ１ｎを送信し、他の無線通信装置からの応答を待つ受信処理を繰り返して行う。
【００９５】
ステップＳ１２の判断で他の無線通信装置からの情報受信があれば、ステップＳ１６で他の無線通信装置からの存在通知の受信があるかを判断し、受信があればステップＳ１７で複数の受信の有無を判断して、複数の受信があれば処理を中断して終了する。具体的には、図７に示したように、無線通信装置（＃１）１１の登録スイッチ３８の操作による登録信号Ｃ２１が入力された無線通信装置（＃１）１１の制御部３７の情報交換部３７−２は、登録情報受信時間設定部３７−４による登録情報受信時間Ｔ２１が経過した後に、無線通信装置（＃１）１１の存在通知・登録要求Ｃ２２を無線通信装置（＃２）１２に送信するが、それに応じて無線通信装置（＃２）１２と無線通信装置（＃３）１３の双方から登録要求Ｃ２３および登録要求Ｃ２４の応答があって、どちらのデバイスリンクの登録動作を行なえばよいか判断がつかない場合に、無線通信装置（＃２）１２と無線通信装置（＃３）１３のどちらかが、ユーザーの意図しないデバイスである可能性が残るため、デバイスリンク登録の処理を中断する。
【００９６】
ステップＳ１７で唯一の無線通信装置から存在通知を受信した場合に、ステップＳ１８で自無線通信装置の登録要求をその無線通信装置あてに送信し、シーケンスを継続するためにステップＳ８に戻る。具体的には、図５に示したように、無線通信装置（＃２）１２の制御部３７の情報交換部３７−２は、登録情報受信時間設定部３７−４による登録情報受信時間Ｔ２が経過するまでに無線通信装置（＃１）１１からの存在通知・登録要求Ｃ３を受信しているので、無線通信装置（＃２）１２の登録要求Ｃ４を無線通信装置（＃１）１１に送信し、再び登録情報受信時間設定部３７−４による登録情報受信時間Ｔ４を設定して受信処理を行なう。
【００９７】
ステップＳ１６の判断で存在通知の受信がなければ、ステップＳ１９で登録要求あるいは登録通知の受信であるか判断し、登録要求あるいは登録通知の受信であれば、ステップＳ２０でその通信装置のデバイスリンク情報を登録すると共に、ステップＳ２１で自らも登録通知の送信を行ない、一連のデバイスリンク登録処理を終了する。具体的には、図５に示したように、無線通信装置（＃１）１１の制御部３７の情報交換部３７−２は、登録情報受信時間設定部３７−４による登録情報受信時間Ｔ３が経過するまでに無線通信装置（＃２）１２からの登録要求Ｃ４を受信しているので、無線通信装置（＃１）１１の登録通知Ｒ１を無線通信装置（＃２）１２に送信し、再び登録情報受信時間設定部３７−４による登録情報受信時間Ｔ５を設定して受信処理を行う。無線通信装置（＃２）１２の制御部３７の情報交換部３７−２では、登録情報受信時間設定部３７−４による登録情報受信時間Ｔ４が経過するまでに無線通信装置（＃１）１１からの存在通知・登録要求Ｒ１を受信しているので、無線通信装置（＃２）１２の登録通知Ｒ２を無線通信装置（＃１）１１に送信し、無線通信装置（＃２）１２の制御部３７の片方向デバイスリンク設定部３７−１は、無線通信装置（＃１）１１との間でデバイスリンクの設定を行なう。また無線通信装置（＃１）１１の制御部３７の情報交換部３７−２でも、無線通信装置（＃２）１２の登録通知Ｒ２を受信した後に、無線通信装置（＃１）１１の制御部３７の片方向デバイスリンク設定部３７−１は、無線通信装置（＃２）１２との間でデバイスリンクの設定を行なう。
【００９８】
なお、上述した本実施の形態に限らず、本発明の特許請求の範囲を逸脱しない範囲で、他の構成をとりうることはいうまでもない。
【図面の簡単な説明】
【００９９】
【図１】本発明の実施の形態に適用される無線ネットワークの構成例を示す図である。
【図２】本発明の実施の形態に適用されるアプリケーションによるデバイスリンクの登録例を表わす図である。
【図３】本発明の実施の形態に適用される無線通信装置の構成例を示した図である。
【図４】通信規格ＩＥＥＥ８０２．１５．３フレーム構成例を示す図である。
【図５】デバイスリンクの登録動作の処理例を示す図である。
【図６】デバイスリンクの登録回避動作の処理例を示す図である。
【図７】デバイスリンクの登録動作の異常処理例を示す図である。
【図８】存在通知コマンド構成例を示した図である。
【図９】登録要求コマンド構成例を示した図である。
【図１０】登録通知コマンド構成例を示した図である。
【図１１】登録通知および暗号情報コマンド構成例を示した図である。
【図１２】デバイスリンク登録動作を表わしたフローチャートである。
【符号の説明】
【０１００】
１……モニター装置、２……ＶＣＲ装置、３……カメラ一体型ＶＴＲ、４……ＤＶＤ装置、５……パーソナルコンピュータ、１０……制御局無線通信装置、１１……無線通信装置（＃１）、１２……無線通信装置（＃２）、１３……無線通信装置（＃３）、１４……無線通信装置（＃４）、１５……無線通信装置（＃５）、１００……無線ネットワーク、２１〜２７……デバイスリンク、３１……インターフェース、３２……送信バッファ、３３……無線送信部、３４……アンテナ、３５……無線受信部、３６……受信バッファ、３７……制御部、３８……リンク登録スイッチ、３９……情報記憶部、３７−１……片方向リンク設定部、３７−２……情報交換部、３７−３……存在通知回数部、３７−４……登録情報受信時間部、３９−１……デバイスリンク情報、３９−２……セキュリティー情報、３９−３……機器固有（入力／出力）情報
【図１】
2008193705.tif 000003
【図２】
2008193705.tif 000004
【図３】
2008193705.tif 000005
【図４】
2008193705.tif 000006
【図５】
2008193705.tif 000007
【図６】
2008193705.tif 000008
【図７】
2008193705.tif 000009
【図８】
2008193705.tif 000010
【図９】
2008193705.tif 000011
【図１０】
2008193705.tif 000012
【図１１】
2008193705.tif 000013
【図１２】
2008193705.tif 000014